(57)【特許請求の範囲】
【請求項１】
映像表示装置と、該映像表示装置を遠隔操作するリモコン装置とを備えるリモコンシステムであって、
前記リモコン装置は、
情報を表示する表示画面を覆うタッチパネルを有する第１表示手段と、
前記映像表示装置との間で情報を通信する第１通信手段と、
前記第１表示手段の表示画面にリモコン装置側表示情報を表示させ、前記第１表示手段のタッチパネル上で前記リモコン装置側表示情報が移動操作されると、前記リモコン装置側表示情報の表示位置を前記映像表示装置に向かって移動させるとともに、移動操作された前記リモコン装置側表示情報に関連付けられた操作情報を前記第１通信手段に送信させる制御を行う第１制御手段と
を備え、
前記映像表示装置は、
前記第１通信手段との間で情報を通信する第２通信手段と、
情報を表示する第２表示手段と、
前記第２通信手段によって受信された前記操作情報に対応する映像表示装置側表示情報を、前記第２表示手段に表示させる制御を行う第２制御手段と
を備え、
前記第１制御手段は、ＵＲＬ（Uniform Resource Locator）情報を含む前記リモコン装置側表示情報を前記表示画面に表示させ、ＵＲＬ情報を含む前記リモコン装置側表示情報が前記第１表示手段のタッチパネル上で移動操作されると、ＵＲＬ情報を含む前記リモコン装置側表示情報の表示位置を前記映像表示装置に向かって移動させるとともに、移動操作されたＵＲＬ情報を含む前記リモコン装置側表示情報に関連付けられた操作情報を前記第１通信手段に送信させ、
前記第２制御手段は、移動操作されたＵＲＬ情報を含む前記リモコン装置側表示情報に関連付けられた操作情報に応じて、ブラウザを起動させて、そのＵＲＬ情報に基づくウェブを閲覧するブラウザ画面を表示させる
ことを特徴とするリモコンシステム。
【請求項２】
前記映像表示装置は、外部装置との間で信号の入出力のインターフェースをとり、入力される信号を選択する外部入出力制御手段をさらに備え、
前記リモコン装置側表示情報が、前記映像表示装置で表示させていたテレビ番組の最後のチャンネルの画像情報を含む場合、前記第２制御手段は、前記外部入出力制御手段によりテレビ放送の映像信号を入力信号として選択させて、その最後のチャンネルの画像情報を前記第２表示手段に表示させ、
前記リモコン装置側表示情報が、ビデオレコーダまたはビデオカメラに記録されている画像のサムネール画像を含む場合、前記第２制御手段は、前記外部入出力制御手段によりビデオレコーダまたはビデオカメラからの映像信号を入力信号として選択させて、そのサムネールの画像情報を前記第２表示手段に表示させる
ことを特徴とする請求項１記載のリモコンシステム。
【請求項３】
前記第２表示手段は、画像を表示する表示画面を有し、前記第２制御手段は、前記第２表示手段に表示される前記映像表示装置側表示情報が前記表示画面の寸法に対応した大きさとなるように第２表示手段を制御するように構成されていることを特徴とする請求項１記載のリモコンシステム。
【請求項４】
前記第１通信手段は、前記操作情報とともに前記リモコン装置側表示情報を前記第２通信手段に送信するように構成され、前記映像表示装置側表示情報は、前記第２通信手段が受信した前記リモコン装置側表示情報から構成されていることを特徴とする請求項１記載のリモコンシステム。
【請求項５】
前記リモコン装置および前記映像表示装置の少なくとも一方には音声発生手段が設けられ、前記音声発生手段は、前記第１通信手段から第２通信手段への前記操作情報の送信が行なわれることに連動して音声を発生するように構成されていることを特徴とする請求項１記載のリモコンシステム。
【請求項６】
前記リモコン装置には振動発生手段が設けられ、前記振動発生手段は、前記第１通信手段から第２通信手段への前記操作情報の送信が行なわれることに連動して振動を発生するように構成されていることを特徴とする請求項１記載のリモコンシステム。
【請求項７】
前記リモコン装置には、前記第１表示手段に表示されている前記リモコン装置側表示情報の表示位置を所定方向に移動させることができるように構成された操作手段が設けられ、前記第１制御手段は、前記操作手段によって前記リモコン装置側表示情報の表示位置が所定方向に移動されたときに、前記第１通信手段から第２通信手段に操作情報を送信させるように構成されていることを特徴とする請求項１記載のリモコンシステム。
【請求項８】
前記映像表示装置は複数であり、前記リモコン装置には、前記第１表示手段に表示されている前記リモコン装置側表示情報の表示位置を所定方向に移動させることができるように構成された操作手段が設けられ、前記所定方向は前記映像表示装置のそれぞれに対応して互いに異なる方向となるように予め関連付けられており、前記第１制御手段は、前記操作手段によって前記リモコン装置側表示情報の表示位置が前記所定方向に移動されたときに、前記第１通信手段から前記所定方向に関連付けられた第２通信手段に操作情報を送信させるように構成されていることを特徴とする請求項１記載のリモコンシステム。
【請求項９】
前記リモコン装置側表示情報は、静止画または動画からなる画像情報を含むことを特徴とする請求項１記載のリモコンシステム。
【請求項１０】
前記リモコン装置側表示情報は、アイコンまたはテキストデータを含むことを特徴とする請求項１記載のリモコンシステム。
【発明の詳細な説明】
【０００１】
【発明の属する技術分野】
本発明は、リモコン装置および映像表示装置ならびにリモコンシステムに関する。
【０００２】
【従来の技術】
従来、テレビやビデオレコーダなどのＡＶ機器を用いてコンテンツを鑑賞する際には、前記ＡＶ装置のリモコン装置を使用して遠隔操作を行っている。
【０００３】
【発明が解決しようとする課題】
これらＡＶ機器のリモコン装置は、それに設けられた複数のボタンを操作するのが一般的であるため、機器の機能が多様化するにつれて、操作が複雑になりがちで使い勝手がいいものとはいえなった。
本発明は、このような実状に鑑みてなされたものであり、その目的とするところは、使い勝手にすぐれれたリモコンシステムを提供することにある。
【０００４】
【課題を解決するための手段】
本発明は前記目的を達成するため、映像表示装置と、該映像表示装置を遠隔操作するリモコン装置とを備えるリモコンシステムであって、前記リモコン装置は、情報を表示する表示画面を覆うタッチパネルを有する第１表示手段と、前記映像表示装置との間で情報を通信する第１通信手段と、前記第１表示手段の表示画面にリモコン装置側表示情報を表示させ、前記第１表示手段のタッチパネル上で前記リモコン装置側表示情報が移動操作されると、前記リモコン装置側表示情報の表示位置を前記映像表示装置に向かって移動させるとともに、移動操作された前記リモコン装置側表示情報に関連付けられた操作情報を前記第１通信手段に送信させる制御を行う第１制御手段とを備え、前記映像表示装置は、前記第１通信手段との間で情報を通信する第２通信手段と、情報を表示する第２表示手段と、前記第２通信手段によって受信された前記操作情報に対応する映像表示装置側表示情報を、前記第２表示手段に表示させる制御を行う第２制御手段とを備え、前記第１制御手段は、ＵＲＬ（Uniform Resource Locator）情報を含む前記リモコン装置側表示情報を前記表示画面に表示させ、ＵＲＬ情報を含む前記リモコン装置側表示情報が前記第１表示手段のタッチパネル上で移動操作されると、ＵＲＬ情報を含む前記リモコン装置側表示情報の表示位置を前記映像表示装置に向かって移動させるとともに、移動操作されたＵＲＬ情報を含む前記リモコン装置側表示情報に関連付けられた操作情報を前記第１通信手段に送信させ、前記第２制御手段は、移動操作されたＵＲＬ情報を含む前記リモコン装置側表示情報に関連付けられた操作情報に応じて、ブラウザを起動させて、そのＵＲＬ情報に基づくウェブを閲覧するブラウザ画面を表示させることを特徴とする。
【０００５】
そのため、前記第１通信手段が第２通信手段に操作情報を送信する際に、前記操作情報に関連付けられたリモコン装置側表示情報は、その表示位置が前記映像表示装置に向かって移動するように制御される。これにより、リモコン装置の第１表示手段から映像表示装置に向かってリモコン装置側表示情報があたかも物理的に移動し、これにより映像表示装置を遠隔制御しているかのような視覚的効果を与えることができる。
【０００６】
【発明の実施の形態】
次に、本発明のリモコンシステムの実施の形態について説明する。
図１は第１の実施の形態のリモコンシステムの構成を示すブロック図である。
リモコンシステム１００は、リモコン装置１０と、このリモコン装置１０によって遠隔操作される映像表示装置２０とを備えて構成されている。
前記リモコン装置１０は、第１通信手段１００２、第１操作手段１００４、第１表示手段１００６、第１記憶手段１００８、第１制御手段１０１０、第１音声発生手段１０１２、振動発生手段１０１４、電源を構成する不図示のバッテリーなどを備えて構成されている。
前記第１通信手段１００２は、映像表示装置２０の第２通信手段２００２と双方向で無線通信を行うように構成されており、本例では無線通信として赤外線通信を用いるものとして説明する。
【０００７】
前記第１操作手段１００４は、前記映像表示装置２０を遠隔制御するための操作を行うものであり、操作に応じて操作情報を生成して前記第１制御手段１０１０に入力するように構成されている。前記第１操作手段１００４の具体的な構成については後述する。
前記第１表示手段１００６は、例えば液晶表示器から構成され前記リモコン装置側表示情報を表示するように構成されている。前記リモコン装置側表示情報は、前記第１操作手段１００４を操作するために使用されるものである。なお、前記第１表示手段１００６の具体的な構成については後述する。
前記第１記憶手段１００８は、前記第１制御手段１０１０が実行するプログラムを格納するＲＯＭ領域、第１制御手段１０１０によって書き替え可能なＲＡＭ領域を備えて構成されている。
【０００８】
前記第１音声発生手段１０１２は、前記第１制御手段１０１０の制御に基づいて所定の音声を発生するものである。この音声は、後述するように操作情報がリモコン装置１０から映像表示装置２０に送信されることを報知するために発生される。
前記振動発生手段１０１４は、前記第１制御手段１０１０の制御に基づいて所定の振動を発生するものであり、この振動は、後述するように操作情報がリモコン装置１０から映像表示装置２０に送信されることを報知するために発生される。
【０００９】
前記第１制御手段１０１０は、ＣＰＵから構成され前記第１記憶手段１００８に格納されている動作プログラムを実行することによって動作するように構成されており、前記第１通信手段１００２、第１操作手段１００４、第１表示手段１００６、第１記憶手段１００８、第１音声発生手段１０１２、振動発生手段１０１４の制御を司るものである。
【００１０】
図２に示すように、前記リモコン装置２０は、矩形板状のケース１０１１を有して構成されている。
前記ケース１０１１の上面には、前方寄りの箇所に前記第１表示手段１００６の表示面１０１６が外方に面して設けられている。第１表示手段１００６は、前記表示面１０１６に文字、図形、記号、静止画情報、動画情報を表示可能に構成されている。
そして、前記表示面１０１６を覆うように、表示面１０１６の外形形状と同じ形状を有するタッチパネル１０１８が表示面１０１６上に重ね合わせて設けられている。前記タッチパネル１０１８は、表示面１０１６の表示内容が透視可能に構成され、指やペン１０２０で接触することによって動作するように構成されている。
これら表示面１０１６とタッチパネル１０１８は、前記制御手段１０１０の制御によって、ポインティングデバイスであるタブレットと同様の動作を行うように構成されている。したがって、ペン１０２０によって表示面１０１６に表示されている画像情報の選択、ドラッグなどの操作が可能となっている。
【００１１】
表示面１０１６の後方箇所には複数の操作ボタン１０２２が設けられている。
前記タッチパネル１０１８、操作ボタン１０２２によって前記第１操作手段１００４（操作手段）が構成されている。
また、ケース１０１１の前端面の箇所には、前記第１通信手段１００２を構成する図略の赤外線受発光部が設けられており、この赤外線受発光部から赤外線信号が送信（発光）されるとともに、赤外線受発光部によって赤外線信号が受信（受光）されるように構成されている。
【００１２】
図１に示すように、前記映像表示装置２０は、前記第２通信手段２００２、第２操作手段２００４、第２表示手段２００６、第２記憶手段２００８、第２制御手段２０１０、外部入出力制御手段２０１２、音声発生手段２０１４を備えて構成されている。
前記第２通信手段２００２は、前記第１通信手段１００２と双方向で無線通信を行うように構成されており、本例では無線通信として赤外線通信を用いるものとして説明する。
前記第２通信手段２００２は、前記リモコン装置側表示情報を前記第１通信手段１００２に送信するように構成されている。
前記第２操作手段２００４は、前記映像表示装置２０を直接操作するためのものであり、操作に応じて操作情報を生成して前記第２制御手段２０１０に入力するように構成されている。
前記第２表示手段２００６は、例えばＣＲＴ、液晶表示器、あるいはプラズマディスプレイから構成され、その表示面２００７（図３参照）に静止画情報や動画情報を表示するように構成されている。
前記第２記憶手段２００８は、前記第２制御手段２０１０が実行するプログラムを格納するＲＯＭ領域、そのた必要な情報を格納するＲＯＭ領域、第２制御手段２０１０によって書き替え可能なＲＡＭ領域を備えて構成されている。
【００１３】
前記外部入出力制御手段２０１２は、外部装置との間で信号の入出力のインターフェースをとるとともに、入力される信号（コンテンツ）を選択するものである。外部入出力制御手段２０１２に接続される外部装置としては、例えば、種々のＡＶ機器、すなわちテレビチューナ、ビデオレコーダ、ビデオカメラ、ラジオ、パーソナルコンピュータなどである。
したがって、外部入出力制御手段２０１２には、テレビ放送の映像信号や音声信号、ビデオレコーダやビデオカメラからの映像信号や音声信号、ラジオからの音声信号が入力される。
また、外部入出力制御手段２０１２はパーソナルコンピュータとの間でデータ信号、制御信号の送受信を行う機能も有する。
また、前記外部入出力制御手段２０１２をＬＡＮなどのネットワークを介してインターネットに接続してもよい。この場合には、外部入出力制御手段２０１２が通信機能を有する端末装置として構成されている必要がある。
外部入出力制御手段２０１２は、前記第２制御手段２０１０の制御によってこれらの信号を選択して前記第２表示手段２００６および音声発生手段２０１４に入力し、あるいは必要な信号を出力するように構成されている。
【００１４】
前記音声発生手段２０１４は、図略のスピーカやアンプなどから構成され、入力される音声信号を発声して出力するように構成されている。また、この音声発生手段２０１４は、前記第２制御手段２０１０の制御に基づいて所定の音声を発生するものである。この音声は、後述するように操作情報がリモコン装置１０から映像表示装置２０に送信されることを報知するために発生される。
【００１５】
前記第２制御手段２０１０は、ＣＰＵから構成され前記第２記憶手段２００８に格納されている動作プログラムを実行することによって動作するように構成されており、前記第２通信手段２００２、第２操作手段２００４、第２表示手段２００６、第２記憶手段２００８、外部入出力制御手段２０１２、音声発生手段２０１４の制御を司るものである。また、前記リモコン装置１０に送信するための前記リモコン装置側表示情報の生成を行うものである。
【００１６】
図３はリモコンシステム１００の使用状態を示す説明図である。
図３に示すように、前記映像表示装置２０から離れた位置にいる使用者Ｐは、リモコン装置１０の操作手段１００４を操作することにより前記第１通信手段１０２と映像表示装置２０の第２通信手段２００２との間で双方向の通信を行って映像表示装置２０を遠隔制御する。
また、映像表示装置２０の近傍に充電装置１０２８が置かれており、この充電装置１０２８にリモコン装置１０を装着することで前記バッテリーの充電が行なわれるように構成されている。
【００１７】
次に、前記リモコンシステム１００を用いて映像表示装置２０を遠隔操作する動作について図４および図５を参照して説明する。
図４（Ａ１）乃至（Ａ５）は映像表示装置２０の表示面２００７の表示内容を示す説明図、図４（Ｂ１）乃至（Ｂ５）はリモコン装置１０の表示面１０１６の表示内容を示す説明図である。
図５はリモコンシステムの動作を示すフローチャートである。
まず、リモコン装置１０と映像表示装置２０が待機状態にあるものとする。
待機状態では、リモコン装置１０は表示面１０１６に所定の待機画面を表示している（ステップＳ１０）。
ここで、使用者Ｐがリモコン装置１０のタッチパネル１０１８を触ることで、第２制御手段２０１０は、動作を開始し、例えば所定のメニュー画面を表示面１０１６に表示させる（ステップＳ１２）。前記メニュー画面には、リモコン装置１０で操作できる機能、例えば、テレビ、ビデオ、ビデオカメラ、ＤＶＤ、インターネット閲覧などがアイコンで表示される。
【００１８】
操作者Ｐがペン１０２０でテレビのアイコンを選択すると、図４（Ｂ１）に示すように、第１制御手段１０１０は、前記第１通信手段１００２から第２通信手段２００２に、映像表示装置２０で表示させていたテレビの最後のチャンネルの画像情報の送信を要求するコマンドを送信させる（ステップＳ１４）。
前記コマンドが第２通信手段２００２に受信されることにより、第２制御手段２０１０は、前記外部入出力制御手段２０１２を制御して、最後のチャンネルの画像情報を第２通信手段２００２から第１通信手段１００２に送信する。これにより、リモコン装置１０は、第１通信手段１００２で受信した最後のチャンネルの画像情報をリモコン装置側リモコン装置側表示情報Ｄ１として表示画面１０１６に表示させる（ステップＳ１６）。
この時点では、図４（Ａ１）に示すように、映像表示装置２０の表示面２００７はなにも表示されていない。
【００１９】
次に、図４（Ｂ２）、（Ｂ３）、（Ｂ４）に示すように、操作者Ｐがペン１０２０を用いて前記リモコン装置側表示情報Ｄ１を選択して前方、すなわち映像表示装置１０に向かってドラッグすることにより、視覚的には表示面１０１６上におけるリモコン装置側リモコン装置側表示情報Ｄ１の表示位置を映像表示装置１０に向かって移動させる（ステップＳ１８）。
前記第１制御手段１０１０は、前記第１操作手段１００４によってなされたリモコン装置側表示情報Ｄ１の移動操作に応じて、前記リモコン装置側表示情報Ｄ１に関連付けている操作情報、すなわち前記最後のチャンネルを表示面２００７に表示させることを要求するコマンドを第１通信手段１００２から第２通信手段２００２に送信する（ステップＳ２０）。
なお、前記第１制御手段１０１０によるリモコン装置側表示情報Ｄ１と操作情報の送信は、表示面１０１６の縁部にリモコン装置側表示情報Ｄ１の部分が到達したことをもって開始させるようにすればよい。
【００２０】
前記第２制御手段２０１０は、前記第２通信手段２００２が前記コマンドを受信したことに基づいて、図４（Ａ４）、（Ａ５）に示すように、前記外部入出力制御手段２０１２を制御して、最後のチャンネルの画像を映像表示装置側表示情報Ｄ２として表示させる（ステップＳ２２）。
この際、前記コマンド（操作情報）がリモコン装置１０から映像表示装置２０に送信されたことを報知するために、前記第１制御手段１０１０は、前記第１音声発生手段１０１２から所定の音声、例えば周波数の高い音から低い音に変化するような音声を発生させるとともに、前記振動発生手段１０１４によって所定の振動を発生させる（ステップＳ２４）。
同様に、第２制御手段２０１０は、前記第２音声発生手段２０１４から所定の音声、例えば周波数の低い音から高い音に変化するような音声を発生させる（ステップＳ２６）。
一方、前記第１制御手段１０１０は、テレビのチャンネル選択メニューＭ１を表示し、テレビのチャンネルを選択する操作入力を待機する（ステップＳ２８）。
【００２１】
以上説明したように、第１の実施の形態によれば、前記第１制御手段１０１０は、前記第１通信手段１００２が第２通信手段２００２に操作情報を送信する際に、前記操作情報に関連付けられたリモコン装置側表示情報Ｄ１の表示位置が前記映像表示装置２０に向かって移動するように第１表示手段１００６の制御を行っている。
そのため、図６に示すように、リモコン装置１０の表示面１０１６から映像表示装置２０に向かってリモコン装置側表示情報Ｄ１があたかも物理的に移動し、これにより映像表示装置２０を遠隔制御しているかのような視覚的効果を使用者Ｐに与えることができ、リモコン装置１０による遠隔操作の使い勝手を向上させる上で有利である。
【００２２】
また、リモコン装置１０から映像表示装置２０に前記操作情報が送信されることに連動して、リモコン装置１０および映像表示装置２０で音声を発生させるとともに、リモコン装置１０を振動させている。
そのため、前記操作情報の送信を音声や振動で認識することができ、リモコン装置１０による遠隔操作の使い勝手を向上させる上で有利である。
【００２３】
次に、第２の実施の形態について図５および図７を参照して説明する。
図７（Ａ１）乃至（Ａ４）は映像表示装置２０の表示面２００７の表示内容を示す説明図、図７（Ｂ１）乃至（Ｂ４）はリモコン装置１０の表示面１０１６の表示内容を示す説明図である。
第２の実施の形態が第１の実施の形態と異なる点は、リモコン装置１０の表示面１０１６に表示されるリモコン側表示情報の形態と、これに関連付けられた操作情報である。
図５のフローチャートに沿って説明する。
まず、待機画面が表示され（ステップＳ１０）、メニュー画面が表示され前記ビデオカメラによる再生を選択する（ステップＳ１２）。
これにより、図７（Ｂ１）に示すように、第１制御手段１０１０は、前記第１通信手段１００２から第２通信手段２００２に、ビデオカメラに記録されている画像のサムネール画像の送信を要求するコマンドを送信させる（ステップＳ１４）。
前記コマンドが第２通信手段２００２に受信されることにより、第２制御手段２０１０は、前記外部入出力制御手段２０１２を制御して、ビデオカメラから取得したサムネールの画像情報を第２通信手段２００２から第１通信手段１００２に送信する。これにより、リモコン装置１０は、第１通信手段１００２で受信した前記サムネールの画像情報をリモコン装置側表示情報Ｄ３として表示画面１０１６に表示させる（ステップＳ１６）。
この時点では、図７（Ａ１）に示すように、映像表示装置２０の表示面２００７はなにも表示されていない。
【００２４】
次に、図７（Ｂ２）、（Ｂ３）、（Ｂ４）に示すように、操作者Ｐがペン１０２０を用いて前記表示情報Ｄ３の一つを選択して前方、すなわち映像表示装置１０に向かってドラッグすることにより、視覚的には表示面１０１６上におけるリモコン装置側表示情報Ｄ３の表示位置を映像表示装置１０に向かって移動させる（ステップＳ１８）。
前記第１制御手段１０１０は、前記第１操作手段１００４によってなされたリモコン装置側表示情報Ｄ３の移動操作に応じて、リモコン装置側表示情報Ｄ３に関連付けている操作情報、すなわち前記リモコン装置側表示情報Ｄ３に対応する画像情報を表示面２００７に表示させることを要求するコマンドを第１通信手段１００２から第２通信手段２００２に送信する（ステップＳ２０）。
なお、前記第１制御手段１０１０による操作情報の送信は、表示面１０１６の縁部に表示情報Ｄ３の部分が到達したことをもって開始させるようにすればよい。
前記第２制御手段２０１０は、前記第２通信手段２００２が前記コマンドを受信したことに基づいて、図４（Ａ４）、（Ａ５）に示すように、前記外部入出力制御手段２０１２を制御して、ビデオカメラから前記リモコン装置側表示情報Ｄ３に対応する画像情報からなる映像表示装置側表示情報Ｄ４を表示させる（ステップＳ２２）。
【００２５】
この際、図７（Ａ３）、（Ｂ３）に示すように、前記第２表示手段２００６による前記映像表示装置側表示情報Ｄ４の表示は、前記リモコン装置側表示情報Ｄ３が前記リモコン装置１０から前記映像表示装置に物理的に移動するような視覚的効果を与えるように行なわれる。
さらに、前記第２制御手段２０１０は、前記第２表示手段２００６に表示される前記映像表示装置側表示情報Ｄ４が前記表示面２００７の表示画面の寸法に対応した大きさとなるように、すなわち本例では、前記表示画面いっぱいに拡大して表示されるように第２表示手段２００６を制御する。
【００２６】
なお、ステップＳ２４、Ｓ２６の動作は第１の実施の形態と同様である。
また、前記第１制御手段１０１０は、次のサムネール画像（リモコン装置側表示情報Ｄ３）を選択するための操作入力を待機する（ステップＳ２８）。
【００２７】
以上説明したように、第２の実施の形態によれば、第１の実施の形態の効果に加えて、図８に示すように、前記リモコン装置側表示情報Ｄ３が前記リモコン装置１０から前記映像表示装置２０に物理的に移動するような視覚的効果をさらに強める効果があり、リモコン装置１０による遠隔操作の使い勝手を向上させる上で有利である。
また、図８に示すように、第２表示手段２００６に表示される前記映像表示装置側表示情報Ｄ４が前記表示面２００７の表示画面の寸法に対応した大きさとなるので、映像表示装置側表示情報Ｄ４を見やすくする上で有利である。
【００２８】
次に、第３の実施の形態について図５および図９を参照して説明する。
図９（Ａ１）乃至（Ａ４）は映像表示装置２０の表示面２００７の表示内容を示す説明図、図９（Ｂ１）乃至（Ｂ４）はリモコン装置１０の表示面１０１６の表示内容を示す説明図である。
第３の実施の形態が第１の実施の形態と異なる点は、リモコン装置１０の表示面１０１６に表示されるリモコン側表示情報の形態と、これに関連付けられた操作情報である。
図５のフローチャートに沿って説明する。
まず、待機画面が表示され（ステップＳ１０）、メニュー画面が表示されＷＷＷの閲覧を選択する（ステップＳ１２）。
これにより、第１制御手段１０１０は、前記第１通信手段１００２から第２通信手段２００２に、ＵＲＬ（Ｕｎｉｆｏｒｍ  Ｒｅｓｏｕｒｃｅ  Ｌｏｃａｔｏｒ）情報の送信を要求するコマンドを送信させる（ステップＳ１４）。
前記コマンドが第２通信手段２００２に受信されることにより、第２制御手段２０１０は、前記外部入出力制御手段２０１２を制御して、前記端末装置から取得したＵＲＬ情報を第２通信手段２００２から第１通信手段１００２に送信する。これにより、図９（Ｂ１）に示すように、リモコン装置１０は、第１通信手段１００２で受信した前記ＵＲＬ情報をリモコン装置側表示情報Ｄ５として表示画面１０１６に表示させる（ステップＳ１６）。
この時点では、図９（Ａ１）に示すように、映像表示装置２０の表示面２００７はなにも表示されていない。
【００２９】
次に、図９（Ｂ２）、（Ｂ３）、（Ｂ４）に示すように、操作者Ｐがペン１０２０を用いて前記表示情報Ｄ５の一つを選択して前方、すなわち映像表示装置１０に向かってドラッグすることにより、視覚的には表示面１０１６上におけるリモコン装置側表示情報Ｄ５の表示位置を映像表示装置１０に向かって移動させる（ステップＳ１８）。
前記第１制御手段１０１０は、前記第１操作手段１００４によってなされたリモコン装置側表示情報Ｄ５の移動操作に応じて、リモコン装置側表示情報Ｄ５に関連付けている操作情報、すなわち前記リモコン装置側表示情報Ｄ５に基づくＷＷＷ閲覧動作、具体的には、ブラウザを起動させてブラウザ画面を表示面２００７に表示させることを要求するコマンドを第１通信手段１００２から第２通信手段２００２に送信する（ステップＳ２０）。
なお、前記第１制御手段１０１０による操作情報の送信は、表示面１０１６の縁部にリモコン装置側表示情報Ｄ５の部分が到達したことをもって開始させるようにすればよい。
前記第２制御手段２０１０は、前記第２通信手段２００２が前記コマンドを受信したことに基づいて、図９（Ａ３）、（Ａ４）に示すように、前記外部入出力制御手段２０１２を制御して、前記端末装置のブラウザを起動させ、前記リモコン装置側表示情報Ｄ５に基づくＷＷＷ閲覧動作を実行させ、ブラウザ画面Ｐからなる映像表示装置側表示情報Ｄ６を表示させる（ステップＳ２２）。
【００３０】
なお、ステップＳ２４、Ｓ２６の動作は第１の実施の形態と同様である。
また、前記第１制御手段１０１０は、ＵＲＬ情報（リモコン装置側表示情報Ｄ５）を選択するための操作入力を待機する（ステップＳ２８）。
【００３１】
以上説明したように、第３の実施の形態によれば、リモコン装置側表示情報Ｄ５の形態がＵＲＬ情報であっても、第１の実施の形態の効果と同様の効果を奏することができる。
【００３２】
なお、上述した各実施の形態では、映像表示装置２０が単一である構成について説明したが、本発明は、映像装置２０を複数備える構成に適用可能である。
次に、映像装置２０を複数備える第４の実施の形態について図１と図１０を用いて説明する。
図１０は、第４の実施の形態におけるリモコンシステムの構成を示す説明図である。
リモコンシステム２００は、リモコン装置１０Ａと、２つの映像表示装置２０Ａ、２０Ｂとを備えている。
第４の実施の形態が第１乃至第３の実施の形態と異なる点について説明する。
前記リモコン装置１０Ａの第１操作手段１００４は、前記第１表示手段１００６の表示面１０１６に表示されている前記リモコン装置側表示情報Ｄ７の表示位置を所定方向、本例では互いに直交する第１方向Ｘ、第２方向Ｙに移動させることができるように構成されている。
また、前記所定方向は前記映像表示装置２０Ａ、２０Ｂのそれぞれに対応して互いに異なる方向となるように予め関連付けられている。
また、前記リモコン装置１０Ａの第１制御手段１０１０は、前記第１操作手段１００４によって前記リモコン装置側表示情報Ｄ７の表示位置が前記所定方向に移動されたときに、前記第１通信手段１００２から前記所定方向に関連付けられた映像表示装置２０Ａまたは２０Ｂの第２通信手段２００２に操作情報を送信させるように構成されている。
そのため、リモコン装置側表示情報Ｄ７の移動方向を各映像表示装置２０Ａ、２０Ｂに関連付けられた所定方向に移動させることで、映像表示装置２０Ａ、２０Ｂを選択的に遠隔操作することができる。そのため、操作性を向上させる上で有利である。
また、第４の実施の形態においても、第１乃至第３の実施の形態と同様の効果を奏することはもちろんである。
【００３３】
また、前記リモコン装置１０の第１操作手段１００４は、タッチパネル１０１８を用いたものに限定されるものではない。
リモコン装置１０のケース１０１１の部分にスライド可能に、あるいは、傾動可能に操作部材を設け、該操作部材を操作することによって前記リモコン装置側表示装置を移動させる構成としてもよい。
この場合、前記操作部材のスライド方向、傾動方向は、前記表示面に表示されるリモコン装置側表示情報の移動方向と一致するように設定される。
また、リモコン装置１０のケース１０１１の部分に押圧操作されるスイッチを設け、該スイッチを操作することによって前記リモコン装置側表示装置を移動させる構成としてもよい。
【００３４】
また、リモコン装置１０の第１通信手段１００２と双方向に通信を行うとともに、前記映像表示装置２０の第２通信手段２００２と双方向に通信を行うホームサーバ（中継手段）を設け、前記第１通信手段と前記映像表示装置との間の通信は前記ホームサーバを介して行なうようにしてもよい。
【００３５】
また、リモコン装置１０の第１表示手段１００４に表示するリモコン装置側表示情報は、静止画、動画、テキストデータ、アイコンでもよい。
【００３６】
【発明の効果】
以上説明したように本発明によれば、リモコン装置の第１表示手段から映像表示装置に向かってリモコン装置側表示情報があたかも物理的に移動し、これにより映像表示装置を遠隔制御しているかのような視覚的効果を与えることができるので、リモコン装置による遠隔操作の使い勝手を向上させる上で有利である。
【図面の簡単な説明】
【図１】第１の実施の形態のリモコンシステムの構成を示すブロック図である。
【図２】第１の実施の形態のリモコン装置の平面図である。
【図３】第１の実施の形態のリモコンシステムの使用状態を示す説明図である。
【図４】（Ａ１）乃至（Ａ５）は第１の実施の形態における映像表示装置の表示面の表示内容を示す説明図、（Ｂ１）乃至（Ｂ５）は第１の実施の形態におけるリモコン装置の表示面の表示内容を示す説明図である。
【図５】リモコンシステムの動作を示すフローチャートである。
【図６】第１の実施の形態におけるリモコン装置と映像表示装置における表示状態の説明図である。
【図７】（Ａ１）乃至（Ａ４）は第２の実施の形態における映像表示装置の表示面の表示内容を示す説明図、（Ｂ１）乃至（Ｂ４）は第２の実施の形態におけるリモコン装置の表示面の表示内容を示す説明図である。
【図８】第２の実施の形態におけるリモコン装置と映像表示装置における表示状態の説明図である。
【図９】（Ａ１）乃至（Ａ４）は第３の実施の形態における映像表示装置の表示面の表示内容を示す説明図、図９（Ｂ１）乃至（Ｂ４）は第３の実施の形態におけるリモコン装置の表示面の表示内容を示す説明図である。
【図１０】第４の実施の形態におけるリモコンシステムの構成を示す説明図である。
【符号の説明】
１００、２００……リモコンシステム、１０、１０Ａ……リモコン装置、１００２……第１通信手段、１００４……第１操作手段、１００６……第１表示手段、１０１０……第１制御手段、２０、２０Ａ、２０Ｂ……映像表示装置、２００２……第２通信手段、２００４……第２操作手段、２００６……第２表示手段、２０１０……第１制御手段。
【図１】
0004702583.tif 000002
【図２】
0004702583.tif 000003
【図３】
0004702583.tif 000004
【図４】
0004702583.tif 000005
【図５】
0004702583.tif 000006
【図６】
0004702583.tif 000007
【図７】
0004702583.tif 000008
【図８】
0004702583.tif 000009
【図９】
0004702583.tif 000010
【図１０】
0004702583.tif 000011